(57)【特許請求の範囲】
【請求項１】
商品を構成する複数の部品を組合せて商品デザイン設計を行う商品デザイン設計装置であって、
前記複数の部品の画像データを含む部品情報を記憶している部品情報記憶手段と、
前記複数の部品中の一の部品と、当該一の部品に対して適合する適合部品に関する適合部品情報とを関連付けて記憶している適合部品情報記憶手段と、
前記複数の部品の中からユーザにより選択部品として複数の部品が選択されたことに応答して、この選択された複数の選択部品同士が適合するか否かを、前記適合部品情報記憶手段に記憶されている適合部品情報に基づいて判別する判別手段と、
この判別手段によって複数の選択部品同士が適合すると判別された場合に、各選択部品の画像データを合成して商品デザイン設計図を作成する商品デザイン設計手段と、
この商品デザイン設計手段によって設計された商品デザイン設計図をユーザに提供する提供手段と、
前記複数の部品中の一の部品と、当該一の部品に対して修正加工した場合に適合する修正部品適合候補に関する修正部品適合情報とを関連付けて記憶している修正部品適合情報記憶手段と、
前記判別手段によって複数の選択部品同士が適合しないと判別された場合において、この適合しないと判別された複数の選択部品のうち少なくとも 一の選択部品について、前記修正部品適合情報記憶手段に記憶されている修正部品適合情報に基づいて修正可能か否かを判断する修正判断手段とを備え、
前記商品デザイン設計手段は、前記修正判断手段によって修正可能であると判断された選択部品の画像データを修正して商品デザイン設計図を作成する作成手段を備えていることを特徴とする商品デザイン設計装置。
【発明の詳細な説明】
【０００１】
【発明の属する技術分野】
本発明は、商品を構成する部品を組合せて商品デザイン設計装置およびインターネット等の通信回線網を利用して、業者が提供する部品を、ユーザが組合せて商品デザイン設計を行う商品デザイン設計装置に関する。
【０００２】
【従来の技術】
近年、インターネットなどを利用してメーカや販売店等の業者が、ネット上で提供した商品を、ユーザが端末のブラウザ上で注文して購入する、いわゆるネット販売システムが盛んである。
【０００３】
このようなネット販売システムの一態様として、特願平１０−５１７３９６号広報に示されているように、業者側が用意した何種類かのパーツ部品を、ユーザに提供し、ユーザがそのパーツ部品をブラウザ上から選択して組合せたり、一部を自らデザインして、商品の受発注を行うデザイン作成システムが知られている。
【０００４】
【発明が解決しようとする課題】
しかしながら、上記従来の商品デザイン作成システムは、業者側が用意した部品をユーザが自由に組合せた結果、その部品の組合せが、商品として不都合な事態を避けるために、ユーザが選択出来る部品が、形状等において、統一されていたり、或いはカテゴリー別に部品が限定されており、その結果として、ユーザの選択の幅が狭められてしまっている。
【０００５】
ところで、昨今、例えば、デジタルカメラを搭載した携帯電話や、音楽再生機能を搭載した時計等のように、多数の機能を搭載した商品が多く出ている。それに伴い、ユーザが、各機能ごとのモジュールを複数組合せて、そういった多機能のオリジナル商品をデザイン作成する場合に、形状等が統一された部品を提供するだけでは、画一化された商品となり、ユーザの多種多様なニーズに応えられないという問題があった。
【０００６】
本発明は、上記事情に鑑みてなされたものであって、ユーザの多様なニーズに応えた商品デザイン設計が出来る商品デザイン設計装置を提供することを目的とする。
【０００７】
【課題を解決するための手段】
上記課題を解決するために、次のような構成を備えている。なお、各構成要素につけた括弧内の用語、数字などは、対応する実施形態の用語、数字などである。
請求項１記載の発明は、例えば、図１〜１８図に示すように、
商品を構成する複数の部品を組合せて商品デザイン設計を行う商品デザイン設計装置（カスタマイズ設計注文管理装置３等）であって、
前記複数の部品の画像データを含む部品情報を記憶している部品情報記憶手段（部品ＤＢ３２３等）と、
前記複数の部品中の一の部品と、当該一の部品に対して適合する適合部品に関する適合部品情報とを関連付けて記憶している適合部品情報記憶手段（設計情報ＤＢ３２２等）と、
前記複数の部品の中からユーザにより選択部品として複数の部品が選択されたことに応答して、この選択された複数の選択部品同士が適合するか否かを、前記適合部品情報記憶手段に記憶されている適合部品情報に基づいて判別する判別手段（図５のＳ７−２；図７のＳ７２−１．Ｓ７２−２；「００９９」ＣＰＵ３１ａ、（図７のＳ７−１；「００９５」）ＣＰＵ３２ａ等）と、
この判別手段によって複数の選択部品同士が適合すると判別された場合に、各選択部品の画像データを合成して商品デザイン設計図を作成する商品デザイン設計手段（ＣＡＤ設計ワークステーション３２等；図７のＳ７２−３a；「０１００」）と、
この商品デザイン設計手段によって設計された商品デザイン設計図をユーザに提供する提供手段（伝送制御手段３１ｆ等；図７のＳ７−３、図５のＳ８；「０１１３」、「０１１４」）と、
前記複数の部品中の一の部品と、当該一の部品に対して修正加工した場合に適合する修正部品適合候補に関する修正部品適合情報とを関連付けて記憶している修正部品適合情報記憶手段（設計情報ＤＢ３２２等；請求項３）と、
前記判別手段によって複数の選択部品同士が適合しないと判別された場合において、この適合しないと判別された複数の選択部品のうち少なくとも 一の選択部品について  前記修正部品適合情報記憶手段に記憶されている修正部品適合情報に基づいて修正可能か否かを判断する修正判断手段（ＣＰＵ３２ａ等；図７のＳ７２−４；「０１０２」；請求項３）とを備え、
前記商品デザイン設計手段は、前記修正判断手段によって修正可能であると判断された選択部品の画像データを修正して商品デザイン設計図を作成する作成手段（ＣＰＵ３２ａ等；図７のＳ７２−５ｃ；「０１０３」、「０１０４」；図７のＳ７２−７ｃ；「０１０６」、Ｓ７２−８；「０１１２」；請求項３）を備えていることを特徴とする。
【０００８】
請求項１記載の発明によれば、複数の部品の中からユーザにより選択部品として複数の部品が選択されたことに応答して、この選択された複数の選択部品同士が適合するか否かを、適合部品情報記憶手段に記憶されている適合部品情報に基づいて判別し、この複数の選択部品同士が適合すると判別された場合に、各選択部品の画像データを合成して商品デザイン設計図を作成し、この設計された商品デザイン設計図をユーザに提供することができる一方で、複数の選択部品同士が適合しないと判別された場合において、この適合しないと判別された複数の選択部品のうち少なくとも 一の選択部品について、修正部品適合情報記憶手段に記憶されている修正部品適合情報に基づいて修正可能か否かを判断することができる。また、修正可能であると判断された選択部品の画像データを修正して商品デザイン設計図を作成することができる。
この結果、ユーザは取りあえず好みの部品を自由に選択することが出来る。そして判別手段による選択部品同士の適合の判別結果に応じた商品デザイン設計が出来る。従って、従来の商品デザインシステムに比べてユーザの多様なニーズに応えることが出来る。
【０００９】
ここで、商品は、例えば、時計、携帯電話、モバイルパソコン、関数電卓等の構成部品の選択が可能なものであれば、いかなるものものであってもよい。
【００１０】
提供手段は、例えば、画面に表示することによる提供、紙等に印刷することによる提供、Ｆａｘによる提供など、商品デザイン設計図面を表現可能な媒体であればどのような手段であってもよい。
商品デザイン設計装置は、いわゆるスタンドアロン型であってもよいし、一部の機能をネットワーク上で分散させた構成のものであってもよい。
【００２４】
【発明の実施の形態】
以下、この発明の実施例を、図面を参照して説明する。尚、本実施例では、ユーザ側がデザインする対象を腕時計に特定し、業者側から、ユーザがデザイン設計した腕時計を、製作して販売する、腕時計デザイン注文販売システムとして説明を行う。
［第１の実施の形態］
以下、図１〜図１８を参照して本発明の第１の実施の形態における腕時計デザイン注文販売システムについて詳細に説明する。
【００２５】
まず構成を説明する。
図１は、本発明に係る腕時計デザイン注文販売システム１の全体構造を示す図である。
図１に示す腕時計デザイン注文販売システム１（商品デザイン設計システム）は、ユーザ側のユーザ端末２と、受注・製造を行う業者側のカスタマイズ設計注文管理装置３（商品デザイン設計装置）とがインターネット等の通信回線網４によって接続されている。
【００２６】
インターネット等の通信回線網４を介し、ユーザ端末２とカスタマイズ設計注文管理装置３との間でやり取りされるデータは、図２に示すように、例えば、ユーザがそのユーザ端末２上でデータ処理するためのアプリケーションに必要とされる各機能を提供する、アプリケーション層（ＨＴＴＰ）、トランスポート層（ＴＣＰ／ＩＰ）、ネットワーク層を経て、インターネットに送り出され、そして、業者側のカスタマイズ設計注文管理装置３へ伝送されると、ネットワークインタフェース層（ＥｔｈｅｒＮｅｔ／ｏｒ／ＰＰＰ）から、前記ネットワーク層、トランスポート層（ＴＣＰ／ＩＰ）を介してアプリケーション層（ＨＴＴＰ）へと伝送され、アプリケーションソフト上等で実際のシステムが実行する。
【００２７】
ユーザ端末２は、図３で示すように、例えばパーソナルコンピューター等を指し、ＣＰＵ２１、ＲＡＭ２２、表示部２３、入力部２４、印刷部２５、伝送制御部２６、記憶部２７及び記憶媒体２８により構成され、記憶媒体２８を除く各部はバス２９により接続されている。
【００２８】
ＣＰＵ２１は、記憶部２７に格納されたプログラムやＷＷＷブラウザ等を読み出してＲＡＭ２２へのデータの一時的な格納を行い、各部の制御、データの転送、種々の演算を行う。
【００２９】
ＲＡＭ２２は、ＣＰＵ２１により実行される各種処理において、プログラムやデータ等の一時的に記憶する記憶領域、入力指示と入力データとによって処理される作業領域などを形成する。
【００３０】
表示部２３は、例えば、ＣＲＴやＬＣＤ等により構成され、ＣＰＵ２１から入力される各種表示データや画像を表示する。
【００３１】
入力部２４は、選択手段として機能し、例えば、マウス、キーボード及びスキャナー等を備え、表示部２３の画面に表示された指定情報を選択して指定したり、あるいは所望する指定情報や画像を入力することができる。
【００３２】
印刷部２５は、ＣＰＵ２１から出力された印刷データや画像を印刷する。
【００３３】
伝送制御部２６は、モデム、ターミナルアダプタ、あるいはルーター等によって構成され、電話回線、ＩＳＤＮ回線、あるいは専用線等の通信回線を介して外部機器との通信を行うための制御を行う。
【００３４】
記憶部２７は、プログラムやデータ等が予め記憶されている記憶媒体２８を有しており、この記憶媒体２８は磁気的、光学的記憶媒体、もしくは半導体メモリで構成されている。この記憶媒体２８は、記憶装置に固定的に設けたもの、若しくは着脱自在に装着するものであり、この記憶媒体２８は、当該ユーザ端末２に対応するWWWブラウザ等の各種アプリケーションプログラム、各処理プログラム、及び同処理プログラムで処理されたデータ等を記憶する。
【００３５】
また、記憶媒体２８に記憶するプログラム、データ等は、その一部若しくは全部をサーバやクライアント等の他の機器からネットワーク回線４等の伝送媒体を介して伝送制御部２６から受信して記憶する構成にしてもよく、さらに、記憶媒体２８はネットワーク上に構築されたサーバの記憶媒体であってもよい。
【００３６】
メーカ側のカスタマイズ設計注文管理装置３は、図３で示すように、例えば、WWWサーバ３１、ＣＡＤ設計ワークステーション３２、認証決済サーバ３３、生産管理サーバ３４等から構成されている。
そして、それぞれのサーバは、ＬＡＮ５（Ｌｏｃａｌ  Ａｒｅａ  Ｎｅｔｗｏｒｋ）により接続されている。また、インターネット等の外部の通信ネットワークと、上記ＬＡＮ５との境にはファイアウォール６が設けてあり、外部からの不正侵入を防いでいる。
【００３７】
ＷＷＷサーバ３１は、ユーザ端末２との間で直接データのやり取りを行う装置であって、ユーザ端末２から要求された命令情報に基づいて各データベースから必要なデータを取得して、ＨＴＭＬ変換し、このＨＴＭＬ変換されたデータをユーザ端末２に送信する装置である。
【００３８】
具体的に、WWWサーバ３１は、図２に示すようにＣＧＩ（Ｃｏｍｍｏｎ  Ｇａｔｅｗａｙ  Ｉｎｔｅｒｆａｃｅ）３１ｉを備えている。そして、ユーザがＵＲＬ等を要求した場合に、後述のＣＰＵ３１ａが、同ＣＧＩ３１ｉを介して、ＣＧＩプログラム３１１ｂ（後述）を実行する。そして、このＣＧＩプログラム３１１ｂによって、他のサーバ等に格納されている外部プログラムが実行されて、例えば、データベースの検索等といった目的処理が、該当サーバ等のＣＰＵ制御の下、行われる。そして、ＷＷＷサーバ３１は、その処理結果を、ＨＴＭＬ変換した後、ユーザ端末２に送信して、ＷＷＷブラウザにより表示部２３に表示させる。そうして、ユーザ端末２とカスタマイズ設計注文管理装置３との間で対話的な機能が実現されている。
【００３９】
また、前記WWWサーバ３１は、カスタマイズ設計注文管理装置３全体の各種サーバやワークステーション等の動作を制御する。そして、内部に、例えば、図４に示すように、ＣＰＵ３１ａ、ＲＡＭ３１ｂ、表示部３１ｃ、入力部３１ｄ、出力部３１ｅ、伝送制御部３１ｆ、記憶部３１ｇ及び記憶媒体３１ｈ等を備えている。
【００４０】
ＣＰＵ３１ａは、記憶部３１ｇに格納されたプログラムを読み出して各部の制御やデータの転送、種々の演算、ＲＡＭ３１ｂへのデータの一時的な格納等を行う。
【００４１】
また、ＣＰＵ３１ａは、ユーザ端末２からのＵＲＬ要求に応じて、ＣＧＩプログラム３１１ｂを実行する。すると、そのＣＧＩプログラム３１１ｂにより、各種サーバやワークステーションに格納されている各種外部プログラムが実行され、そのプログラムに従って、各々のサーバのＣＰＵが、同じく備えられた各種データベース（後述）中の情報を検索し、該当情報をＷＷＷサーバ３１に送信する動作、等の制御を行う。そして、ＷＷＷサーバ３１のＣＰＵ３１ａは、受信した情報をＨＴＭＬ変換し、伝送制御部３１ｆを介してユーザ端末２に送信する。
【００４２】
また、ＷＷＷサーバ３１のＣＰＵ３１ａは、カスタマイズ設計注文管理装置３の情報更新処理等の管理を行う。例えば、定期的に生産管理サーバ３４の記憶部３４ｇに格納されている資材・在庫ＤＢ３４２に部品の在庫情報を問い合わせ、在庫の有無に関する最新情報をホームページ上でユーザに提示するように情報の更新を行う。
【００４３】
ＲＡＭ３１ｂは、ＣＰＵ３１ａにより実行される各種処理において、プログラムやデータ等の一時的な格納領域を形成する。
【００４４】
表示部３１ｃは、例えば、ＣＲＴ、ＬＣＤ等により構成され、ＣＰＵ３１ａによる表示制御に従い画面上に各種データ等を表示する。
【００４５】
入力部３１ｄは、例えば、マウスやキーボード等で構成され、情報更新等のための情報入力手段として用いられる。
出力部３１ｅは、例えば、印刷機等で構成され、ユーザの注文情報をプリントアウトする等の処理を行う。
【００４６】
伝送制御部３１ｆは、ＬＡＮ、ＷＡＮ（Wide  Area  Network）、あるいはインターネット等の各種ネットワークに接続された伝送媒体に接続可能なインタフェースである。ここで、伝送媒体とは、電話回線や対金属線や同軸ケーブル、光ファイバーケーブル等により構成され、各種装置と接続されることにより上記ネットワークを形成するものである。伝送制御部３１ｆは、モデム（ＭＯＤＥＭ：Modulator/DEModulator）、ターミナルアダプタ（ＴＡ：Terminal  Adapter）、または、ルーター等によって、構成され、電話回線、ＩＳＤＮ回線、或いは専用線等の通信回線を介して外部機器との通信を行うための制御を行う。
【００４７】
記憶部３１ｇは、プログラムやデータ等が予め記憶されている記憶媒体３１ｈを有しており、この記憶媒体３１ｈは、磁気的、光学的記録媒体、若しくは半導体メモリで構成されている。この記憶媒体３１ｈは記憶装置に固定的に設けたもの、若しくは、着脱自在に装着するものである。また、この記憶媒体３１ｈには、本発明の処理に必要なＨＴＭＬに関するシステムプログラム（図示なし）、それぞれの処理に対応するアプリケーションソフト３１１ａ等、及び各処理プログラムで処理された結果等を記憶する。
【００４８】
また、この記憶媒体３１ｈに記憶するプログラム、データ等は、通信回線等を介して接続された他の機器から受信して記憶する構成にしてもよく、更に、通信回線等を介して接続された他の機器側に上記記憶媒体３１ｈを備えた記憶装置を設け、この記憶媒体３１ｈに記憶されているプログラム、データを、通信回線を介して使用する構成にしてもよい。
【００４９】
具体的に、記憶部３１ｇまたは記憶媒体３１ｈに格納されているものとして、システムプログラムＤＢ３１１、ＨＴＭＬ文書ＤＢ３１２等がある。
【００５０】
システムプログラムＤＢ３１１は、本発明の腕時計カスタマイズ設計販売システム１の動作を実行するための各種プログラムを格納しているデータベースであって、前記システムプログラム（図示なし）のほか、各種動作に必要な各種アプリケーションソフト３１１ａ、ＣＧＩプログラム３１１ｂ、データベース管理プログラム３１１ｃ等を格納している。
【００５１】
特に、ＣＧＩプログラム３１１ｂは、ホームページ上で、外的プログラムを実行するためのものであって、具体的に、ＣＡＤ設計ワークステーション３２の記憶部３２ｇ（後述）、認証決済サーバ３３、及び生産管理サーバ３４等に格納されている、後述の例えば、設計ソフト３２１ａ、データベース管理プログラム３１１ｃ、認証決済ソフト３３１等を実行させるのに用いられる。そしてそれらのプログラムは、例えば、ＳＱＬ等を用いて、同じく同サーバ等に格納されているデータベースにアクセスして該当情報を引き出す処理等が実行可能にプログラミングされている。
【００５２】
データベース管理プログラム３１１ｃは、例えば、ＲＤＢＭＳ（Ｒｅｌａｔｉｏｎａｌ  Ｄａｔａｂａｓｅ  Ｍａｎａｇｅｍｅｎｔ  Ｓｙｓｔｅｍ）等が用いられ、ＳＱＬ（Ｓｔｒｕｃｔｕｒｅｄ  Ｑｕｅｒｙ  Ｌａｎｇｕａｇｅ）等を介して、ＣＡＤ設計ワークステーション３２、認証決済サーバ３３、生産管理サーバ３４等に格納されている各種データベース、例えば、設計情報ＤＢ３２２等のリレーショナルデータベースを操作するためのプログラムである。
【００５３】
ＣＡＤ設計ワークステーション３２は、汎用のコンピュータ等からなり、ユーザ端末２から、ＷＷＷサーバ３１を介して指示された時計のカスタマイズ設計における部品の組合せ等の設計処理を実行する装置である。
そして、内部構成は、ＣＰＵ３２ａ、ＲＡＭ３２ｂ、表示部３２ｃ、入力部３２ｄ、出力部３２ｅ、伝送制御部３２ｆ、記憶部３２ｇ、及び記憶媒体３２ｈである。それらの機能は、ＷＷＷサーバ３１のそれとほぼ同様であるので、詳しい説明は省略し、特徴的な部分についてのみ説明する。
【００５４】
特にＣＰＵ３２ａは、全体システムの管理を担うＷＷＷサーバ３１によって起動されるＣＧＩプログラム３１１ｂに従って、時計カスタマイズ設計に関する動作の制御を行う。
【００５５】
ＣＰＵ３２ａは、ＷＷＷサーバ３１のＣＰＵ３１ａが起動したＣＧＩプログラム３１１ｂによって実行された設計ソフト３２１に従って、設計処理を制御したり、同じくＷＷＷサーバ３１のＣＰＵ３１ａが制御するデータベース管理プログラム３１１ｃに従って、ＳＱＬ、ＲＤＢＭＳ等を用いて設計情報ＤＢ３２２、部品ＤＢ３２３の情報検索等の動作を制御する。そして、その処理結果を、伝送制御部３２ｆを介してＷＷＷサーバ３１に送信する。
【００５６】
具体的に、ＣＰＵ３２ａは、ユーザ選択の部品に対応する情報を設計情報ＤＢ３２２及び部品ＤＢ３２３等から引出してその情報に基づき、設計ソフト３２１のプログラムに従って、画像合成処理、不適合部品の変形修正処理、ユーザによる部品形状変更処理における、可否判断や、実行の制御等を行う。
【００５７】
また、記憶部３２ｇ若しくは記憶媒体３２ｈに、設計ソフト３２１、設計情報ＤＢ３２２、部品ＤＢ３２３、ユーザ設計ＤＢ３２４等を備えている。
【００５８】
設計ソフト３２１は、ＣＰＵ３２ａの制御下で、ユーザ端末２の表示部２３の画面上において、ユーザが選択した部品等を組合せて時計のカスタマイズ設計を行うための、ＣＡＤを用いたアプリケーションソフトウェアである。具体的に、設計情報ＤＢ３２２、部品ＤＢ３２３に格納されている情報を用いて、選択された部品の画像合成処理等の時計カスタマイズにおける設計処理がプログラミングされている。
【００５９】
また、設計ソフト３２１は、ユーザが選択した部品で設計された時計の見積書作成処理もプログラムされている。具体的に、ユーザの部品選択情報を受け、部品ＤＢ３２３に記憶されている部品単価を合計して見積り金額を算出して見積書に書き込む処理である。そして、部品が選択し直される度に見積もり金額も更新され、更新された見積り金額をユーザ端末２の表示部２３に表示させるようになっている。
【００６０】
また、設計ソフト３２１は、ＷＷＷサーバ３１の前記ＣＧＩプログラム３１１ｂによって実行されるプログラムであって、ユーザの選択部品情報を受け、ＣＡＤ設計がオンラインで実行されて、合成された設計図をユーザ端末２に送信するために用いられる。尚、設計ソフト３２１が、通信回線を介したＷｅｂ画面から、外の機器である、ソフト提供サーバ（図示省略）によってダウンロードされることによって、若しくは、記憶媒体等を介して、ユーザ端末２にインストールされ、腕時計のカスタマイズ設計の全部或いは一部をユーザ端末２上で行うようにしてもよい。
【００６１】
設計情報ＤＢ３２２は、ユーザが、時計部品のカスタマイズ設計を行うための設計基礎データを記憶しているデータベースである。
具体的には、例えば、ＣＡＤの設計ソフト３２１によって、ユーザ選択の部品と部品との画像が、合成設計される際の合成情報を記憶している。また、ユーザが、ある一の部品を選択した場合、ＣＡＤ設計ワークステーション３２のＣＰＵ３２ａは、その部品と部品とが適合し得るか否かの判断を行うが、その判断基準となる部品と部品の適合情報を記憶している。即ち、設計情報ＤＢ３２２は、ある一の部品ごとに、それに適合しうる他の部品を関連付けて記憶した適合部品情報を記憶している。
例えば、図１１（Ｂ）に示すように、側ケースＫ１〜Ｋ６とモジュールＭ１〜Ｍ６とは、互いに、外観形状等において適合する部品同士である。
すなわち、外径方向に突出するセンサー部Ｋ１ａ、Ｋ２ａ、Ｋ３ａをそれぞれ備えた全体が丸形形状の側ケースＫ１〜Ｋ３と、同じく外径方向に突出するセンサー部Ｍ１ａ（図１４参照）、Ｍ２ａ、Ｍ３ａをそれぞれ備えた全体が丸形形状のモジュールＭ１〜Ｍ３とは、互いに、外観形状等において適合する部品同士であり、また、バンド取付部Ｂを除く全体が丸形形状の側ケースＫ４と、同じく全体が丸形形状のモジュールＭ４とは、互いに、外観形状等において適合する部品同士であり、また、バンド取付部Ｂを除く全体が八角形形状の側ケースＫ５と、同じく全体が八角形形状のモジュールＭ５とは、互いに、外観形状等において適合する部品同士であり、また、バンド取付部を除く全体が長方形形状の側ケースＫ６と、同じく全体が長方形形形状のモジュールＭ６とは、互いに、外観形状等において適合する部品同士である。
図１１（Ａ）は、このように、互いに、外観形状等において適合する部品同士であることを示すための適合部品情報が、設計情報ＤＢ３２２内の適合不適合情報ＲＯＭ３２２Ａに記憶されている。なお、外観形状等において、互い適合しない不適合な部品同士であることを示すための不適合部品情報も、設計情報ＤＢ３２２内の適合不適合情報ＲＯＭ３２２Ａに記憶されている。
具体的には、例えば、バンド取付部Ｂを除く全体が丸形形状の側ケースＫ４と、同じく全体が丸形形状のモジュールＭ４とは、互いに、外観形状等において適合する部品同士であるので、適合部品情報として、数値の「１」が記憶されており、
逆に、外径方向に突出するセンサー部Ｋ１ａ、Ｋ２ａ、Ｋ３ａをそれぞれ備えた全体が丸形形状の側ケースＫ１〜Ｋ３と、センサー部を持たない形状のモジュールＭ４〜Ｍ６とは、互いに、外観形状等において適合しない不適合な部品同士であるので、不適合部品情報として、数値の「０」が記憶されている。
【００６２】
さらに、設計情報ＤＢ３２２は、部品の変形修正に関する情報も記憶している。たとえば、ユーザにより適合し得ない２つの部品が選択された場合、その２つの部品のどちらか若しくは双方の変形修正可否判断をＣＰＵ３２ａが行うが、その際に判断基準となる、変形修正に関する情報を部品ごとに、記憶している。
例えば、図１１（Ｂ）に示すように、側ケースＫ４とモジュールＭ１とは、互いに、外観形状等において適合しない部品同士である。すなわち、モジュールＭ１には、外径方向に突出するセンサー部Ｍ１ａを備えているが、これに対して側ケースＫ４には、センサー部Ｍ１ａに対応した突出部分が存在していない。このため、側ケースＫ４とモジュールＭ１とが使用者により選択された場合には、これら部品同士を適合させるために他の変形部品を指定するための変形修正に関する情報が設計情報ＤＢ３２２に記憶されている。
また、前記変形修正可能範囲情報は、例えば、ユーザが部品の形状等を自ら変更修正する際に、ＣＰＵ３２ａがその可否判断を行う際の判断基準情報にもなる。
【００６３】
部品ＤＢ３２３は、時計のカスタマイズに用いられる部品の情報、画像等の部品デジタル情報を記憶しているデータベースである。
具体的に部品の情報とは、品番、サイズ、カラー、価格等である。
【００６４】
ユーザ設計ＤＢ３２４は、ユーザの選択によりカスタマイズ設計され、注文された時計の設計データを記憶しているデータベースで、実際に製造する際の設計情報を、例えば、生産管理サーバ３４に提供するために用いられる。また、ユーザ設計ＤＢ３２４は、発注した顧客の個人情報をも含む。
【００６５】
認証決済サーバ３３は、オンライン設計後、実際の商品の受注処理において、ユーザの認証処理及び決済処理を行う装置である。内部に、ＣＰＵ３３ａ、ＲＡＭ３３ｂ、表示部３３ｃ、入力部３３ｄ、出力部３３ｅ、伝送制御部３３ｆ、記憶部３３ｇ、記憶媒体３３ｈ等を備え、記憶媒体３３ｈを除いて、それぞれバスを介してＣＰＵ３３ａと接続されている。
また、それぞれの機能は、ＷＷＷサーバ３１のそれとほぼ同じであるので詳説は省き、特徴的な部分についてのみ説明する。
【００６６】
特に、ＣＰＵ３３ａは、ＷＷＷサーバ３１のＣＧＩプログラム３１１ｂによって実行される、後述の認証決済ソフト３３１のプログラムに従って、認証処理、及び課金決算処理を制御する。
【００６７】
認証処理において、具体的に、ＣＰＵ３３ａは、認証決済ソフト３３１に従って、ユーザによって入力された情報を、個人認証ＤＢ３３２の情報に問い合わせ、正しいか否かを判断し、本人であると確認できた場合には、ユーザ要求の情報をユーザ端末２に送信し、確認できない場合は、個人認証が失敗した旨を、ユーザ端末２に表示させる。
【００６８】
また、記憶部３３ｇ若しくは記憶媒体３３ｈは、特に、認証決済ソフト３３１、個人認証ＤＢ３３２及び課金決済ＤＢ３３３を格納している。
【００６９】
認証決済ソフト３３１は、本発明における認証処理及び課金決済処理の動作をプログラミングしたソフトウェアである。
具体的に、認証決済ソフト３３１は、ＷＷＷサーバ３１のＣＧＩプログラム３１１ｂによって起動されるプログラムであって、認証決済サーバ３３のＣＰＵ３３ａの制御下で動作する。
【００７０】
また、認証決済ソフト３３１には、例えば、暗号通信プロトコルのＳＳＬ（Ｓｅｃｕｒｅ  Ｓｏｃｋｅｔｓ  Ｌａｙｅｒ）や、クレジットカード決済を安全に処理するためのプロトコルである、ＳＥＴ（Ｓｅｃｕｒｅ  Ｅｌｅｃｔｒｏｎｉｃ  Ｔｒａｎｓａｃｔｉｏｎｓ）等を用いて、ユーザ端末２のＷＷＷブラウザに入力された、ユーザ認証、及び決済情報のデータ暗号化を行い、同暗号化情報をＷＷＷサーバ３１に送信する電子商取引の仕組みもプログラムされている。
【００７１】
更に、同認証決済ソフト３３１は、前述のＳＱＬやＲＤＢＭＳを用いて、個人認証ＤＢ３３２や課金決済ＤＢ３３３に格納されているデータ等を検索し読み出す動作もプログラムされている。
【００７２】
個人認証ＤＢ３３２は、ネットワーク経由でコンピュータにアクセスしてくるユーザが登録済みか否かを確認するのに用いられる、ユーザの名前やパスワードなどを一括管理するデータベースである。
【００７３】
課金決済ＤＢ３３３は、注文された時計の課金決済処理に用いられる課金決済のデータを記憶し、管理するデータベースである。
具体的に、クレジットカード決済、銀行振替、代引き、電子決済等の決済種類の決済データやその種類に応じた入力画面データ等が記憶されている。
【００７４】
生産管理サーバ３４は、ＣＡＤ設計ワークステーション３２でカスタマイズ設計され、記憶部３４ｇの顧客注文ＤＢ３４３に格納されている受注時計データに基づき、実際の生産工程を管理、制御する装置であって、工場等の製造現場のＮＣ工作機等に接続されており、製造に関する指示を送る。
【００７５】
生産管理サーバ３４は内部に、ＣＰＵ３４ａ、ＲＡＭ３４ｂ、表示部３４ｃ、入力部３４ｄ、出力部３４ｅ、伝送制御部３４ｆ、記憶部３４ｇ、及び記憶媒体３４ｈ等を備え、記憶媒体３４ｈを除いて、それぞれバスを介してＣＰＵ３４ａと接続されており、それぞれの機能は、ＷＷＷサーバ３１のそれとほぼ同様である。従って、詳細な説明は省略し、特徴的な部分についてのみ説明する。
【００７６】
特に、ＣＰＵ３４ａは、ＷＷＷサーバ３１のＣＰＵ３１ａからの要求に従い、生産工程の制御を行う。具体的に、ＷＷＷサーバ３１から送信された受注データに基づき、デザイン指示、製造指示をＮＣ工作機等に送信する。また、生産のみならず、梱包、配送手配処理の制御をも行う。
【００７７】
また、記憶部３４ｇ、又は記憶媒体３４ｈには、資材・在庫ＤＢ３４１、組立・製造ＤＢ３４２、顧客注文ＤＢ３４３が格納されている。
【００７８】
資材・在庫ＤＢ３４１は、部品の在庫状況を管理するデータベースであって、部品の情報と対応付けられて、その在庫情報が記憶されている。
【００７９】
組立・製造ＤＢ３４２は、実際の部品で、商品を組立て、製造するための基礎情報を記憶し管理するデータベースであって、ＷＷＷサーバ３１から送信される受注時計の設計データに対応した、組立及び製造情報が、ＣＰＵ３４ａがよって引き出されて用いられる。
【００８０】
顧客注文ＤＢ３４３は、顧客が注文した時計の設計データ、及び商品完成後に、配送するための個人情報等を記憶、管理するデータベースである。
【００８１】
次に、本実施例の動作を図５〜図７に示すフローチャートに沿って説明する。最初に、ユーザ端末２が、インターネット等の通信回線網４を介して、業者側のカスタマイズ設計注文管理装置３に接続されると、ＷＷＷサーバ３１のＣＰＵ３１ａは、記憶部３１ｇから所定のプログラムを読み出し、それに従って、各種処理を実行する。
【００８２】
まず、ユーザ端末２のＣＰＵ２１は、業者が公開している腕時計のカスタマイズ設計のホームページを呼び出すためのＵＲＬをカスタマイズ設計注文管理装置３に送信する（ステップＳ１）。
【００８３】
すると、カスタマイズ設計注文管理装置３のＷＷＷサーバ３１は、上記ＵＲＬを受信し（ステップＳ２）、ＷＷＷサーバ３１のＣＰＵ３１ａの制御の下、ユーザ端末２に、注文設計メニュー画面のＨＴＭＬ文書を送信する（ステップＳ３）。
【００８４】
そして、ユーザ端末２の表示部２３に、例えば図８に示すような部品の選択、及び設計を行うためのカスタマイズ設計画面が表示される（ステップＳ４）。
【００８５】
図８に示すカスタマイズ設計画面は、画面上部に機能メニューＡと、コントロール・ツールバーＢ、画面中央部左側に部品のパレット表示部Ｃ、画面中央部右側に設計図表示部Ｄ、画面下側には、ユーザ選択部品の情報表示部Ｅなどにより構成されている。
【００８６】
画面上部の機能メニューＡは、図９に示すような構成になっており、ユーザが設計を行う際において、例えば、「ファイルを開く」といったコマンドを実行したり、画面中央部右側の設計図表示部Ｄに表示される図の種類を、「投影図」に変更するといったコマンドの選択を行う場合に用いられる。そして、選択したコマンドの実行結果は、設計図表示部Ｄに表示される。
【００８７】
機能メニューＡの下側のコントロール・ツールバーＢは、例えば、図１０に示すような構成になっており、ユーザが設計をする際のツール選択に用いられる。
【００８８】
具体的に、例えば、「回転ツール」を用いて、設計図表示部Ｄに表示される図を回転させたり、他のツールを用いて、選択部品の形状を変更する場合等に用いる。
【００８９】
部品パレット表示部Ｃには、図１１（Ｂ）に示すように、部品項目名をクリックすると、その下に、該当部品項目の部品が画像と共に表示される。そして、その部品をマウスのクリック等を用いて指定すると、その部品が設計図表示部Ｄに表示されるようになっている。  尚、在庫切れの部品には、その旨が表示される。
【００９０】
また、設計図表示部Ｄには、ユーザが選択した部品の合成画像及びユーザの選択コマンドの実行結果などが表示される。例えば、機能バーＡのコマンド選択に従って、図１２に示すように、正面設計図Ｄ１、平面設計図Ｄ２、側面設計図Ｄ３、組立画像図Ｄ４のようにさまざまな種類の設計図の表示がされるようになっている。
【００９１】
選択部品の情報表示部Ｅは、図１３に示すように、ユーザが選択した部品に関するデータが表示される。例えば、その部品名、規格・仕様、単価、見積り総額等の項目である。尚、これら項目は、ユーザが部品を選択し直す度にその表示内容が更新されるようになっている。
【００９２】
上記の様に構成されたカスタマイズ設計画面上にて、ユーザは、その入力部２４を用いて、まず、設計条件Ａとして、例えば、外装ケース、ベルト、モジュールといった組込部品を選択・指定する（ステップＳ５）。
【００９３】
ここで、上記モジュールは、例えば、計時機能の他、圧力計測機能をもつモジュール、温度計測機能をもつモジュール、音楽再生機能をもつモジュール、携帯電話機能をもつモジュール、ゲーム機能をもつモジュール、データバンク機能をもつモジュール、テレビ・ラジオ機能をもつモジュール等である。
【００９４】
ステップＳ５の設計条件Ａの入力データは、ユーザ端末２の伝送制御部２６を介してＷＷＷサーバ３１に送信され、それを受信したＷＷＷサーバ３１のＣＰＵ３１ａは、ＣＧＩ３１ｉによって、設計条件Ａの動作を行うためのＣＧＩプログラム３１１ｂを起動させる（ステップＳ６）。
【００９５】
次いで、ＣＧＩプログラム３１１ｉが起動して、上記ユーザ入力データの入力処理が行われる（ステップＳ７−１）。
【００９６】
次いで、上記入力データに応じて、データベース管理プログラム３１１ｃの例えば、ＲＤＢＭＳやＣＡＤ設計ワークステーション３２の設計ソフト３２１が起動され、データベース管理プログラム３１１ｃや設計ソフト３２１に従って、ＣＡＤ設計ワークステーション３２のＣＰＵ３２ａが、ＳＱＬ等を用いたＤＢ検索処理や、設計処理を制御する。
【００９７】
すなわち、ＣＰＵ３２ａは、設計ソフト３２１等に従って、ユーザが設計条件Ａとして選択した部品らを部品ＤＢ３２３から検索する。そして、設計情報ＤＢ３２２の設計情報に基づいて、その部品の画像合成処理を行うと共に、部品の単価を合計して見積り金額を演算する演算処理等を行って、新しい設計図を作成する（ステップＳ７−２）。その詳細な説明を図７に沿って行う。
【００９８】
ステップＳ７−１における、ユーザ選択部品の入力処理に次いで、ＣＰＵ３２ａは、同ユーザ選択部品に対応する部品情報、設計情報、適合情報を、例えば、ＲＤＢＭＳや設計ソフト３２１に従って、設計情報ＤＢ３２２、部品ＤＢ３２３に問い合わせて引き出す（ステップＳ７２−１）。
【００９９】
次いで、ＣＰＵ３２ａは、ステップＳ７２−１で得た部品情報、部品適合情報、部品不適合情報（図１１（Ａ）を参照）に基づいて、ユーザにより選択された部品同士が適合しているか否かの判断を行う（ステップＳ７２−２）。
【０１００】
そして、ＣＰＵ３２ａは、ユーザにより選択された各部品、例えば、外装ケースとモジュールとケースとが、部品適合情報の「１」に従って、全て適合しうると判断した場合、すなわち、（ステップＳ７２−２：Ｙｅｓ）、ステップＳ７２−３ａに移行する。
すなわち、複数の部品のなかから、ユーザが、外装ケースとして、外装ケースＫ４（１５−１ａ）を、他方、モジュールとして、モジュールＭ４を選択した場合、これらの部品は、互いに、外観形状等において適合する部品同士であり、設計情報ＤＢ３２２内の適合部品情報ＲＯＭ３２２Ａに記憶されている適合部品情報の「１」に従って、適合部品同士であると判断されるため、これらの場合は、（ステップＳ７２−２：Ｙｅｓ）、ステップＳ７２−３ａに移行することとなる。
このステップＳ７２−３ａに移行後、更に、ステップＳ７２−１で引き出した設計情報に基づいて、画像合成処理と、見積り金額の演算処理とを行って、設計画面を作成した後、ステップＳ７−３に移行する。
【０１０１】
一方、ユーザ選択の部品が、部品不適合情報の「０」に従って、適合し得ない場合（ステップＳ７２−２：Ｎｏ）、ＣＰＵ３２ａは、適合し得ない部品のうち、どれが優先部品であるかの選択を促す優先順位選択画面データを、ＷＷＷサーバ３１を介し、ユーザ端末２に送信する。すると、当該優先順位選択画面が表示部２３に表示される。そして、ユーザは、適合不可能な部品のうち、どれを優先するかを、入力部２４を用いて決定する（ステップＳ７２−３ｂ）。
【０１０２】
次いで、選択部品の優先順位情報を、ＷＷＷサーバ３１を介して受信したＣＡＤ設計ワークステーション３２のＣＰＵ３２ａは、優先順位１位および２位の部品を合成設計する場合に、どちらか若しくは双方の部品の変形修正が可能であるか否かの判断を、設計情報ＤＢ３２２に記憶されている変形修正可能範囲情報に基づき行う（ステップＳ７２−４）。
【０１０３】
そして、変形修正が可能であると判断した場合（ステップＳ７２−４：Ｙｅｓ）、ＣＰＵ３２ａは、変形修正パターンの表示及びパターン選択を行う画面データを作成し、ＷＷＷサーバ３１を介してユーザ端末２に送信する。そして、ユーザ端末２の表示部２３に、当該変形修正パターン表示及びパターン選択画面が表示される（ステップＳ７２−３ａ）。
【０１０４】
具体的に、図１５に示すように、複数の部品のなかから、ユーザが選択した部品が、例えば、外装ケースが「外装ケース１５−１ａ」であり、モジュールが「モジュール１５−１ｂ」である場合、これらの部品は、互いに、外観形状等において適合する部品同士でないことが、設計情報ＤＢ３２２に記憶されている適合部品情報に従って判断されるため、これら不適合部品同士の場合は、設計情報ＤＢ３２２内の適合部品情報ＲＯＭ３２２Ａに記憶されている不適合部品情報の「０」と判断された後に、これら部品同士を適合させるために他の変形部品が指定される。
例えば、センサー部Ｋ１ａを備えている丸形形状のモジュール１５−１ｂにあわせた、センサー部Ｋ７ａを備えている丸形形状の外装ケースの変形修正パターン１５‐１ｃが部品ＤＢ３２３内で指定される。これにより、モジュール１５−１ｂにあわせて外装ケースを変形した場合における、変形外装ケース（１５−１ｃ）と、当該モジュール（１５−１ｂ）と、を合成した参考の設計図面１５−１ｄが作成される。
または、外装ケース１５−１ａに合わせたモジュールの変形修正パターン（図示なし）が指定される。これにより、図示しないが、外装ケース１５−１ａと、それにあわせた変形モジュールの合成設計図もユーザに提示される。
尚、上記参考合成設計図には、他の装飾部品等（１５−２ａ）を付加した参考設計図（１５−２ｂ）が提示されてもよい。
【０１０５】
次いでユーザは、上記のような部品の変形修正パターンをみて、入力部２４を用いて、変形修正する部品を選択する。例えば、図１５の例に従えば、外装ケースとモジュールのどちらを変形修正するかを選択する（ステップＳ７２−６ｃ）。
【０１０６】
ユーザの変形修正部品の選択情報を受信したＣＡＤ設計ワークステーション３２のＣＰＵ３２ａは、同情報に従って修正設計処理を行って、ユーザに確認する画面を作成する。そして、同確認画面はＷＷＷサーバ３１によってＨＴＭＬ文書化されて、ユーザ端末２に送信される（ステップＳ７２−７ｃ）。
【０１０７】
そしてユーザが、部品の変形修正の確認を行い、部品の変形修正を決定する場合（ステップＳ７２−７ｃ：Ｙｅｓ）は、ステップＳ７２−８に進み、設計条件Ａの他の部品を含めた合成設計処理、価格演算処理が、ＣＰＵ３２ａによって行われる。
【０１０８】
一方、ユーザが、部品の変形修正をやり直す場合（ステップＳ７２−７ｃ：Ｎｏ）は、ステップＳ７２−３ｂに移行する。
【０１０９】
また、ステップＳ７２−４において、ユーザ選択の優先順位１位、２位部品の変形修正が不可能である場合（ステップＳ７２−４：Ｎｏ）、ＣＰＵ３２ａは、設計情報ＤＢ３２２の適合情報に基づき優先順位１位、２位それぞれの部品に適合する、他の適合部品を表した一覧表を、ＷＷＷサーバ３１を介してユーザ端末２に送信し（ステップＳ７２−５ｄ）、送信された一覧表は表示部２３に表示される。
【０１１０】
具体的に、例えば、優先１位、２位部品が外装ケースと、モジュールである場合、カスタマイズ設計画面の設計図表示部Ｄに、優先部品の外装ケースに適合する、選択外のモジュールの一覧情報が表示され、それと並行して、もう一方の優先部品であるモジュールに適合する選択外の外装ケースの一覧情報が表示されるので、ユーザは、それらを比較して、優先部品である外装ケースとモジュールのうち、どちらかを妥協して選択部品の変更を行う（ステップＳ７２−６ｄ）。
【０１１１】
次いで、ユーザは、ステップＳ７２‐６ｄで決定した部品以外の残りの部品を、部品パレット表示部Ｃを用いて任意で変更するなどして、全ての部品の選択を完了させる（ステップＳ７２−ｄ）。
【０１１２】
設計条件Ａの全部品選択情報を受けたＣＰＵ３２ａは、設計情報ＤＢ３２２、及び部品ＤＢ３２３の情報を用いて、画像合成処理、及び見積り金額の演算処理を行って、本設計図作成処理を終了し（ステップＳ７２−８）、再び図５に示すステップＳ７−３に移行する。
【０１１３】
ステップＳ７−３において、ＣＰＵ３２ａは、上記の設計条件Ａの設計図面、及び見積り金額情報、及び次にユーザが選択する項目である、設定条件Ｂのデータを部品ＤＢ３２３等から取得して、ＣＡＤ設計ワークステーション３２の伝送制御部３２ｆを介してＷＷＷサーバ３１に転送する。
【０１１４】
次いで、設計条件Ａ及び設計条件Ｂのデータを受信したＷＷＷサーバ３１のＣＰＵ３１ａは、当該データをＨＴＭＬ文書化してユーザ端末２に送信する（ステップＳ８）。
【０１１５】
次いで、ユーザ端末２のＣＰＵ２１は、受信した設計条件Ａ及び設計条件Ｂのデータのうち、設計図面をカスタマイズ設計画面上の設計図表示部Ｄに更新表示し、見積り金額情報を選択部品情報表示部Ｅに更新表示する共に、部品パレット表示部Ｃに設計条件Ｂのデータを更新表示する（ステップＳ９）。
【０１１６】
次いで、ユーザは、パレット表示部Ｃに表示された設計条件Ｂから、入力部２４を用いて、例えば、色・柄・デザイン・文字盤の印刷・刻印等の選択・指定を行う（ステップＳ１０）。
【０１１７】
すると、ユーザによって選択・指定された設計条件ＢのデータがＷＷＷサーバ３１に送信され、当該データを受信したＷＷＷサーバ３１のＣＰＵ３１ａは、該当ＣＧＩプログラム３１１ｂを起動する（ステップＳ１１）。
【０１１８】
次いで、ステップＳ７と同様に、設計ソフト３２１、データベース管理プログラム３１１ｃ等が起動され、それらに従ってＣＡＤ設計ワークステーション３２のＣＰＵ３２ａが、ＤＢ検索処理、部品の合成処理、演算処理、適性部品判断処理等の設計図作成処理を行う。そして、その処理結果が、ＷＷＷサーバ３１に転送されると共に、ユーザ設計ＤＢに格納される（ステップＳ１２）。
【０１１９】
そして、ＷＷＷサーバ３１のＣＰＵ３１ａは、受信した検索結果や、設計図表示部Ｄ、更新価格等の部品情報表示部Ｅの更新情報及び、設計条件Ｃデータ等をＨＴＭＬ文書化して、ユーザ端末２に送信する（ステップＳ１３）。
【０１２０】
設計条件Ｃデータ等を受信したユーザ端末２のＣＰＵ２１は、ステップＳ７と同様に、設計図表示部Ｄ、選択部品情報表示部Ｅの更新を行って、新しい情報を表示する（ステップＳ１４）。
【０１２１】
次いで、ユーザは、入力部２４を用いて、部品パレット表示部Ｃに表示された、例えば、時計の組込仕様・ソフトといった項目の設計条件Ｃの選択・指定を行う（ステップＳ１５）。
【０１２２】
次いで、ユーザ選択の設計条件Ｃのデータが、伝送制御部２６から、ＷＷＷサーバ３１に送信され、受信したＷＷＷサーバ３１のＣＰＵ３１ａは、該当ＣＧＩプログラム３１１ｂを起動する（ステップＳ１６）。
【０１２３】
そして、ステップＳ７と同様に、設計ソフト３２１等が起動され、ＣＰＵ３２ａが、最終処理となる設計図画面データ、見積もり画面データを作成し（ステップＳ１７）、ＷＷＷサーバ３１から、その伝送制御部３１ｆを介して、新しい設計図画面データ、及び見積もり画面データがユーザ端末２に送信される（ステップＳ１８）。
【０１２４】
新しい設計図画面データ、及び見積もり画面データを受信したユーザ端末２のＣＰＵ２１は、ステップＳ７又はステップＳ１１と同様にして設計図表示部Ｄ及び見積もり表示部Ｅの表示データを更新する（ステップＳ１９）。
【０１２５】
次いで、ユーザは、入力部２４を用いて、完成した設計図面、仕様、金額でよいかどうかの判断結果を入力する（ステップＳ２０）。そして、設計処理のやり直しを選択した場合（ステップＳ２０：ＮＯ）、ステップＳ５の工程に戻り、設計図、仕様、金額に納得した場合（ステップＳ２０：ＹＥＳ）、次画面が表示部２３に表示される。
【０１２６】
次画面で、価格・納期・条件等の確認が行なわれ、次いで、注文申込書が表示部２３に表示される。そして、ユーザは入力部２４を用いて、必要事項を入力して、ＷＷＷサーバ３１に送信する（ステップＳ２１）。
【０１２７】
注文申込書の必要事項とは、例えば、氏名、住所、連絡先、商品配送先等の個人情報や、その商品の決済方法情報等である。決済方法として、クレジットカード決済の場合はクレジットカード番号が入力され、銀行振替の場合は、口座名等が入力される。
【０１２８】
また、ユーザ端末２から、上記注文申込書がＷＷＷサーバ３１に送信される際に、機密性が要求される情報は、ＳＳＬやＳＥＴ等を用いて暗号化されて送信される。
【０１２９】
必要事項に関するデータを受信したＷＷＷサーバ３１のＣＰＵ３１ａは、受注・認証のＣＧＩプログラム３１１ｂを起動して、それによって、認証決済サーバ３３の認証決済ソフト３３１が実行される（ステップＳ２２）。
【０１３０】
そして、認証決済ソフト３３１に基づいて、認証決済サーバ３３のＣＰＵ３３ａは、暗号通信用プロトコルを用いて、暗号化された個人データを個人認証ＤＢ３３２に送信して記憶させると同時に、個人認証Ｎｏ．等を自動的に配布して記憶する。しかし、注文が二回目以降である場合は、本人確認等の認証処理を行う。
【０１３１】
また、ＣＰＵ３３ａは、例えば、クレジットカード等による前払いの場合は、課金決済ＤＢ３３３に、ユーザの決済データを問い合わせて、決済処理を行う（ステップＳ２３）。そして、認証確認結果をＷＷＷサーバ３１に転送する。
【０１３２】
認証確認結果を受信したＷＷＷサーバ３１は、最終受注確認画面及び、認証結果をＨＴＭＬ文書化して、ユーザ端末２に送信する（ステップＳ２４）。
【０１３３】
ユーザ端末２のＣＰＵ２１は、最終受注確認画面及び認証結果等を受信すると、データを更新して表示部２３に表示させる（ステップＳ２５）。
【０１３４】
そして、ユーザが、入力部２４を用いて、最終注文をキャンセルした場合（ステップＳ２６：Ｎｏ）、ステップＳ１の最初の画面に戻る。また、最終注文を確認して、発注を行う場合（ステップＳ２６：Ｙｅｓ）は、ＷＷＷサーバ３１が、ユーザ設計ＤＢ３２４に格納されている受注設計データを、生産管理サーバ３４に転送する（ステップＳ２７ａ）。その一方で、ユーザ端末２に、注文設計メニューの終了確認画面データを送信して、ユーザが、終了を選択すると（ステップＳ２７ｂ：Ｙｅｓ）、受注設計処理が終了し、カスタマイズ設計処理をやり直す場合は（ステップＳ２７ｂ：Ｎｏ）、ステップＳ１に移行する。
【０１３５】
また、受注設計データをＷＷＷサーバ３１から受信した、生産管理サーバ３４のＣＰＵ３４ａは、同受注設計データを製造工場の製造機器３４ｉに送信し、注文腕時計の製造工程が開始される（ステップＳ２８）。そして業者側は、その製作状況を随時入力して、ホームページ上に公開される（ステップＳ２９）。
【０１３６】
従って、ユーザは、カスタマイズ商品注文後に、任意で最初のページから製作状況確認メニューを選択し、商品発注時の認証処理において発行された個人認証Ｎｏ、商品番号等を入力することで、上記製作状況が告知された画面にアクセスでき、発注商品の製作状況を把握することができる（ステップＳ２９'）。
【０１３７】
そして、受注商品の製造が完成すると、生産管理サーバ３４は、梱包指示処理、配送指示処理等を行い（ステップＳ３０）、完成された受注商品は注文ユーザ指定の配送先に配送される。
【０１３８】
ユーザ指定の届け先に注文商品が到着することをもって、本実施例の動作が終了する。尚、料金後払いの場合は、商品配達後に決済処理が行われる（ステップＳ３１）。
【０１３９】
尚、設定条件Ａ、設定条件Ｂ、設定条件Ｃの部品の種類・内容等は、本実施例で説明に限定されるものではなく、ユーザの自由設定とする。
【０１４０】
また、部品パレット表示部Ｃで、ある一の部品を選択し、次の部品を選択する際に、その次選択部品の項目のうち、前選択部品と適合するものには、アイコンを点滅させる等によって、情報提供しておく構成でもよい。
【０１４１】
また、図１６に示すように、ユーザは、カスタマイズ設計図面のコントロール・ツールバーＢ等を用いて、選択部品の形状等をユーザ自ら変更・修正してもよい。
その場合、ＣＡＤ設計ワークステーション３２のＣＰＵ３２ａは、設計情報ＤＢ３２２に記憶されている変形修正可能範囲データにしたがって、ユーザの変更・修正が可能であるかの判断を行う。
【０１４２】
また、例えば、写真、イラスト等を用いて、時計の文字盤をユーザ自らデザインして、それを部品として組み込んでもよい。
【０１４３】
上記のように、ユーザ自らによるデザイン設計の場合、その設計に用いられるソフトを、Ｗｅｂ上から、外機器であるソフト提供サーバ（図示なし）からダウンロードするか、ＣＤ−ＲＯＭ等の記憶媒体を介してユーザ端末２にインストールして、予めオフラインでデザイン設計を行い、そのデータを、発注するときに送信することも可能な構成となっている。ここで、ソフトウェアは、例えばＳｈｏｃｋｗａｖｅムービー（Ｍａｃｒｏｍｅｄｉａ社の商標）等であって、同ソフトウェアがユーザ端末２にプラグインされると、カスタマイズ設計画面がユーザ端末２の表示部２３に表示され、デザイン作成処理が可能な状態となる。
【０１４４】
また、上記のように、既製部品の変更・修正を行う場合や、不適合部品の変形修正処理を行う場合に、認証決済サーバ３３を介して追加課金処理を行うようにしてもよい。
【０１４５】
[第２の実施の形態]
次に、図２〜図１７を参照して、本発明の第２の実施の形態における腕時計デザイン注文販売システム１について詳細に説明する。
【０１４６】
第１の実施の形態において、カスタマイズ設計注文管理装置３として、ＷＷＷサーバ３１、ＣＡＤ設計ワークステーション３２、認証決済サーバ３３、生産管理サーバ３４が、ＬＡＮ５で接続され、一つの装置として構成されている。第２の実施の形態では、図１７に示すように、ＷＷＷサーバ３１、ＣＡＤ設計ワークステーション３２、認証決済サーバ３３は、例えば、製品メーカに設置され、生産管理サーバ３４は、例えば、製造工場等に設置されて、実際の製造を行う製造装置３４ｉに直結している一方で、インターネット等の通信回線４を通じて、ＷＷＷサーバ３１等と接続されているシステムとして説明する。
【０１４７】
尚、第２の実施の形態におけるＷＷＷサーバ３１、ＣＡＤ設計ワークステーション３２、認証決済サーバ３３、及び生産管理サーバ３４の内部構成は、第１の実施の形態において図４で示した、それぞれのサーバ、及びワークステーションの構成と同様であるので、詳細な説明を省略し、同一の各部は同一の符号で表す。
【０１４８】
第２の実施の形態では、生産管理サーバ３４が、製造工場等の実際の受注時計を製造し、完成商品を梱包して出荷する現場に設置され、直接、製造機器装置３４ｉとＬＡＮで接続されている。製造機器装置３４ｉは、例えば、コンピュータからなる、部品選択制御装置３４４、モジュール組立制御装置３４５、製品組立制御装置３４６、ソフト書込み制御装置３４７、調整・試験制御装置３４８、梱包・出荷制御装置３４９と、それぞれの制御装置に制御される、工作機械のＮＣロボットなど、から構成されている。
【０１４９】
また、生産管理サーバ３４は、製品メーカ等に設置され、ユーザ端末２との窓口として時計の設計処理、受注処理を行うＷＷＷサーバ３１、ＣＡＤ設計ワークステーション３２、認証決済サーバ３３等と、インターネット等の通信回線網４を介して接続されている。
【０１５０】
次に、第１の実施の形態のフローチャートである図４を参照して、第２の実施の形態における動作を説明する。
第２の実施の形態の動作は、図４に示したフローチャートにおけるステップＳ１~２７までの動作と、ほぼ同様であるが、ステップＳ２８における製造工程について特徴があるので、この製造工程について詳細に説明する。
【０１５１】
ステップＳ２７において、受注が決定され、ＷＷＷサーバ３１から、注文設計情報が、伝送制御部３１ｆを介して生産管理サーバ３４に送信される。
【０１５２】
受信した生産管理サーバ３４は、同情報を顧客注文ＤＢ３４３に格納する。そして、注文設計情報と共に、資材・在庫ＤＢ３４２及び組立・製造ＤＢ３４３から必要な情報を引き出して、各種制御装置による商品製造過程の制御を始める。
【０１５３】
まず、部品選択制御装置３４４は、生産管理サーバ３４の指令に従い、ＮＣロボットを制御して、部品倉庫等より、必要部品を収集させる。
【０１５４】
次いで、部品選択制御装置３４４の制御によって揃った部品は、モジュール組立制御装置３４５によりＮＣロボットが駆動され、モジュールに組立られる。
【０１５５】
尚、ユーザが設計過程において、そのままでは適合不可能な部品を選び、その部品の適合修正を希望した場合や、既製部品の形状等をユーザ自ら変更設計した場合は、その変更情報が、前記モジュール組立制御装置３４５に送られ、同変更情報に基づいて部品の修正変更処理が行われる。
【０１５６】
次いで、モジュールの組立が完了すると、製品組立制御装置３４６が、製品の組立を行うＮＣロボットを駆動させて、ユーザの注文設計情報に基づき、部品の組立を行う。
【０１５７】
次いで、ユーザ選択の仕様データを生産管理サーバ３４から送信したソフト書込み制御装置３４７は、ＮＣロボットを制御して、ユーザ希望の仕様プログラムソフト３４７を書込む。
【０１５８】
次いで、調整・試験制御装置３４８により駆動制御されたＮＣロボットによって、組立が完成した製品の調整・試験が行われる。
【０１５９】
次いで、梱包制御装置３４９の制御によって、完成製品が梱包され、出荷すべく製品倉庫・配送センター等に運ばれ、ステップＳ３０と同様にして、運送会社等によって、ユーザ指定の届け先に配送される。
【０１６０】
[第３の実施の形態]
次に、図２〜図１８を参照して本発明の第３の実施の形態における腕時計デザイン注文販売システム１について詳細に説明する。
【０１６１】
第３の実施の形態における腕時計デザイン注文販売システム１の構成は、図１８に示すように、ＷＷＷサーバ３１、及びＣＡＤ設計ワークステーション３２は、製品メーカ等に設置され、生産受注出荷管理サーバ３５、及び生産出荷管理サーバ３６として、それぞれ部品製造メーカ、及び製品製造工場に設置され、認証決済サーバ３３は、金融決済事業者に設置され、それぞれが、インターネット等の通信回線網４を介して接続されている構成として説明する。
【０１６２】
尚、第３の実施の形態におけるＷＷＷサーバ３１、ＣＡＤ設計ワークステーション３２、認証決済サーバ３３、及び生産管理サーバ３５、３６の内部構成は、第１の実施の形態、及び第２の実施の形態で説明したそれらの構成と同様であるので、詳細の説明を省略し、同一の各部は同一の符号で表す。
【０１６３】
第３の実施の形態では、第１の実施の形態、及び第２の実施の形態で説明したシステムよりもそれぞれのサーバ等が、分散環境に置かれている。特に、認証決済サーバ３３が、金融決済事業者に設置されている。それによって、図６のステップＳ２４において行われる認証・決済処理が、顧客口座管理ＤＢ３３４の情報等を用いて、直接にかつ即座に、ユーザの認証確認することができるようになっている。
【０１６４】
また、部品製造メーカ、及び製品製造工場等の、時計のカスタマイズ設計に関わる複数の企業・業者に、例えば、生産受注出荷管理サーバ３５、３６のように設置されている。従って、複数業者に渡る部品等の受発注及び製造情報が、ネットワーク上で送受信出来、且つ共有化がされている。
【０１６５】
即ち、例えば、部品に関する形状等の変更修正が要求された場合には、ＷＷＷサーバ３１が、その部品を製造する該当業者に、ネットワークを介して変更修正情報を送信する。その変更情報を受信した該当業者の生産受注発注出荷管理サーバ３５が、第２の実施の形態で説明したのと同様にして、製造制御処理を行う。そして、その変更修正の完成した部品が、製品製造工場に運ばれて、生産受注出荷管理サーバ３６の制御の下、製造組立処理が行われる。
【０１６６】
したがって、第３の実施の形態における腕時計注文販売システム１は、第１及び第２の実施に形態に示したそれよりも、分業機能が高まり、より広範囲にわたる一貫型受注生産システムが実現されている。
【０１６７】
尚、上記第１、第２、及び第３の実施の形態は、一例に過ぎず、適宜変更可能である。即ち、腕時計のカスタマイズ設計に限定されず、その構成部品の選択が可能なものであれば、いかなるものものであってもよい。例えば、対象製品として、携帯電話、モバイルパソコン等でもよい。
【０１６８】
また、ユーザが選択した複数の部品が、適合しない場合に、それらの部品及びそれに適合する選択外の部品を用いた全ての組合せ候補を、例えば、設計情報ＤＢ３２２等を用いてリストアップする。そして、ユーザが、例えば、必須の部品、価格等び条件設定をして候補を絞り込んでいき、ユーザの希望にあった商品をみつけていく方法でもよい。
【０１６９】
このように、腕時計デザイン注文販売システム１は、ユーザ端末２と、腕時計業者等に設置された、腕時計のデザイン受注・製造を行うカスタマイズ設計注文管理装置３とが、通信回線網４を介して接続されることにより、ユーザはネット上で腕時計のカスタマイズ設計をすることができ、思い通りの腕時計の製造を注文することができる。
【０１７０】
また、適性部品以外を選択した場合は、カスタマイズ設計注文管理装置３による、適合しない部品のどちらか一方、若しくは双方の変更・修正が可能であり、また、ユーザ自身による、既製部品の形状等の変更・修正を行うことができるので、カスタマイズ設計におけるユーザの選択の幅がとても大きい。
【０１７１】
【発明の効果】
請求項１記載の発明によれば、ユーザは取りあえず好みの部品を自由に選択することが出来る。そして判別手段による選択部品同士の適合の判別結果に応じた商品デザイン設計が出来る。従って、従来の商品デザインシステムに比べてユーザの多様なニーズに応えることが出来る。
【図面の簡単な説明】
【図１】本発明にかかる腕時計デザイン注文販売システムの全体構成を示した図である。
【図２】図１の腕時計デザイン注文販売システムにおけるデータの通信経路を示したブロック図である。
【図３】図１の腕時計デザイン注文販売システムのユーザ端末、及びカスタマイズ設計注文管理装置の要部構成を示したブロック図である。
【図４】図１のカスタマイズ設計注文管理装置の内部構成を詳細に示したブロック図である。
【図５】本発明における腕時計デザイン注文販売システムを説明するためのフローチャートの前半部である。
【図６】図５のフローチャートの後半部である。
【図７】図５のステップＳ７−２の設計条件Ａの設計図作成処理の動作を詳細に説明したフローチャートである。
【図８】カスタマイズ設計画面の表示例を示した図である。
【図９】図７のカスタマイズ設計画面の機能バーＡの内容説明を示した図である。
【図１０】図７のカスタマイズ設計画面のツールコントロールバーＢの内容を説明した図である。
【図１１】（Ａ）は適合部品情報ＲＯＭの内容を示す図、（Ｂ）は図７のカスタマイズ設計画面の部品パレットＣの詳しい表示例を示した図である。
【図１２】図７のカスタマイズ設計画面の設計図表示部Ｄの表示例を示した図である。
【図１３】図７のカスタマイズ設計画面の選択部品情報表示部Ｅの表示例を示した図である。
【図１４】図１２の設計図表示部Ｄのモジュール組込における表示例を示した図である。
【図１５】選択部品合成処理における、部品変形修正処理を含んだ設計工程を示した図である。
【図１６】ユーザによる部品の変更・修正処理を含んだ設計工程を示した図である。
【図１７】本発明の腕時計デザイン注文システムにおける第２の実施の形態の全体構造を示した図である。
【図１８】本発明の腕時計デザイン注文販売システムにおける第３の実施の形態の全体構想を示した図である。
【符号の説明】
１    腕時計デザイン注文販売システム
２    ユーザ端末
３    カスタマイズ設計注文管理装置
４    通信回線網
２３    表示部（表示手段）
２４    入力部（選択手段）
３１    ＷＷＷサーバ
３１ａ    ＣＰＵ（制御手段）
３１ｆ    伝送制御装部（提供手段）
３２ａ    ＣＡＤ設計ワークステーション３２のＣＰＵ（判別手段、選定手段、修正判断手段）
３２２    設計情報ＤＢ（適合部品情報記憶手段、修正部品適合情報記憶手段）
３２２Ａ  適合部品情報ＲＯＭ
３２３    部品ＤＢ（部品情報記憶手段）
３３    生産管理サーバ
【図１】
0004483093.tif 000002
【図２】
0004483093.tif 000003
【図３】
0004483093.tif 000004
【図４】
0004483093.tif 000005
【図５】
0004483093.tif 000006
【図６】
0004483093.tif 000007
【図７】
0004483093.tif 000008
【図８】
0004483093.tif 000009
【図９】
0004483093.tif 000010
【図１０】
0004483093.tif 000011
【図１１】
0004483093.tif 000012
【図１２】
0004483093.tif 000013
【図１３】
0004483093.tif 000014
【図１４】
0004483093.tif 000015
【図１５】
0004483093.tif 000016
【図１６】
0004483093.tif 000017
【図１７】
0004483093.tif 000018
【図１８】
0004483093.tif 000019